(57)【要約】【課題】光学像を電気信号に変換する撮像手段より得られた映像信号に基づく画像データを、同じ画像数となるように、複数の記憶手段に記憶することのできる電子カメラを得る。【解決手段】光学像を電気信号に変換する撮像手段と、その撮像手段より得られた映像信号に基づく撮影画像データを記憶し得る複数の記憶手段の空き容量を検出する空き容量検出手段と、その空き容量検出手段による空き容量検出結果から、複数の記憶手段のうち空き容量が異なっているものが含まれている場合には、複数の記憶手段について記憶可能画像数が同じになるように、複数の記憶手段のうちの少なくとも一部の記憶手段に記憶される画像のデータ量を可変する記憶データ量可変手段とを設ける。【選択図】　　　　　図２
2004128781.tif 000002
【特許請求の範囲】
【請求項１】
光学像を電気信号に変換する撮像手段と、
前記撮像手段より得られた映像信号に基づく撮影画像データを記憶し得る複数の記憶手段の空き容量を検出する空き容量検出手段と、
前記空き容量検出手段による空き容量検出結果から、前記複数の記憶手段のうち空き容量が異なっているものが含まれている場合には、前記複数の記憶手段について記憶可能画像数が同じになるように、前記複数の記憶手段のうちの少なくとも一部の記憶手段に記憶される画像のデータ量を可変する記憶データ量可変手段とを設けた
ことを特徴とする電子カメラ。
【請求項２】
請求項１に記載の電子カメラにおいて、
前記複数の記憶手段のうちの少なくとも一部の記憶手段は、当該電子カメラに着脱可能なリムーバブルメディアであることを特徴とする電子カメラ。
【請求項３】
請求項１又は２に記載の電子カメラにおいて、
前記記憶データ量可変手段は、前記複数の記憶手段のうちの最大の空き容量を有する記憶手段を除くその他の記憶手段の記憶可能画像数を、前記最大の空き容量を有する記憶手段の記憶可能画像数と等しくするように、前記その他の記憶手段に記憶される画像のデータ量を可変する
ことを特徴とする電子カメラ。
【請求項４】
請求項１、２又は３に記載の電子カメラにおいて、
前記記憶データ量可変手段は、前記複数の記憶手段のうちの少なくとも一部の記憶手段に記憶される画像の画像サイズを可変する画像サイズ可変手段である
ことを特徴とする電子カメラ。
【請求項５】
請求項１乃至４の何れか１項に記載の電子カメラにおいて、
前記複数の記憶手段のうち空き容量が異なっているものが含まれている場合に、前記記憶データ量可変手段によって、前記データ量を可変するモードと、可変しないモードとを切り換えるようにした
ことを特徴とする電子カメラ。
【発明の詳細な説明】
【０００１】
【発明の属する技術分野】
本発明は電子カメラに係り、特に複数の記憶手段に画像データを記録し得る電子カメラに関する。
【０００２】
【従来の技術】
特許文献１には、複数のカード状記憶媒体を装填し得る記憶媒体装着部を備えた電子スチルカメラが記載されている。その電子スチルカメラでは、その記憶媒体装着部に装着された複数のカード状記憶媒体のうち使用する記録媒体を選択して、映像信号の記録及び再生を行うことができるようにし、一方、記憶媒体装着部に装着された複数のカード状記憶媒体間で映像信号の転送を行い、複数のカード状記憶媒体に、同一の映像信号を記録することができるようにしている。
【０００３】
特許文献２に記載された電子カメラは、複数の記録媒体を有し、各記録媒体の記録容量残と、映像信号の圧縮率とに応じて、記録用の記録媒体を選択し、複数の記録媒体間で、映像信号の転送・消去を実行するダビング手段を具備している。
【０００４】
【特許文献１】
特開平１０−５１７２３号公報
【０００５】
【特許文献２】
特開平５−９１４５５号公報
【０００６】
【発明が解決しようとする課題】
上述の特許文献からも明らかなように、複数の記憶手段を使用し得る電子カメラは、従来種々提案されている。
【０００７】
しかしながら、従来の電子カメラにおいて、当該電子カメラに着脱可能な記憶手段、例えば、複数のメモリカードを装着して、これらのメモリカードに同時に画像を記録しようとしたとき、その複数のメモリカードの記憶容量が異なっている場合には、記憶容量の少ないメモリカードから、記録画像が一杯になり、その後は撮影が不可能な状態になる。又、この場合には、複数のメモリカードに記録される画像枚数が互いに異なることになり、同じ内容の画像を同時に複数のメモリカードに記録することはできなくなってしまう。
【０００８】
例えば、空き容量の大きなメモリカードに、５０コマ分画像データを記録できたとしても、空き容量の少ないメモリカードには、３５コマ分しか記憶できない場合があり、これでは、記録される画像枚数が記憶媒体毎に異なることになり、同じ内容の画像を複数の記憶媒体に記憶できないことになる。
【０００９】
かかる点に鑑み、本発明は、光学像を電気信号に変換する撮像手段より得られた映像信号に基づく画像データを、同じ画像数となるように、複数の記憶手段に記憶することのできる電子カメラを提案しようとするものである。
【００１０】
【課題を解決するための手段】
本発明は、光学像を電気信号に変換する撮像手段と、その撮像手段より得られた映像信号に基づく撮影画像データを記憶し得る複数の記憶手段の空き容量を検出する空き容量検出手段と、その空き容量検出手段による空き容量検出結果から、複数の記憶手段のうち空き容量が異なっているものが含まれている場合には、複数の記憶手段について記憶可能画像数が同じになるように、複数の記憶手段のうちの少なくとも一部の記憶手段に記憶される画像のデータ量を可変する記憶データ量可変手段とを設けてなる電子カメラである。
【００１１】
かかる本発明によれば、光学像を電気信号に変換する撮像手段、即ち、撮像素子より得られた映像信号に基づく撮影画像データを記憶し得る複数の記憶手段の空き容量を、空き容量検出手段によって検出する。その空き容量検出手段による空き容量検出結果から、複数の記憶手段のうち空き容量が異なっているものが含まれている場合には、複数の記憶手段について記憶可能画像数が同じになるように、複数の記憶手段のうちの少なくとも一部の記憶手段に記憶される画像のデータ量を、記憶データ量可変手段によって可変する。
【００１２】
上述の本発明において、複数の記憶手段のうちの少なくとも一部の記憶手段として、当該電子カメラに着脱可能なリムーバブルメディアを使用することができる。
【００１３】
上述の本発明における複数の記憶手段についての記憶可能画像数は、単写や連写による静止画データの場合はコマ数であり、動画データの場合はファイル数である。
【００１４】
上述の本発明において、複数の記憶手段のうちの最大の空き容量を有する記憶手段を除くその他の記憶手段の記憶可能画像数を、最大の空き容量を有する記憶手段の記憶可能画像数と等しくするように、その他の記憶手段に記憶される画像のデータ量を、記憶データ量可変手段によって、可変するようにすることができる。
【００１５】
上述の本発明において、記憶データ量可変手段としては、複数の記憶手段のうちの少なくとも一部の記憶手段に記憶される画像の画像サイズを可変する画像サイズ可変手段が可能である。
【００１６】
上述の本発明において、記憶データ量可変手段としては、複数の記憶手段のうちの少なくとも一部の記憶手段に記憶される画像の圧縮率を可変する圧縮率可変手段も可能である。
【００１７】
上述の本発明において、記憶データ量可変手段としては、複数の記憶手段のうちの少なくとも一部の記憶手段に記憶される画像の画像サイズを可変する画像サイズ可変手段及び画像の圧縮率を可変する圧縮率可変手段を混用することもできる。
【００１８】
上述の本発明において、記憶データ量可変手段としては、複数の記憶手段のうちの少なくとも一部の記憶手段に記憶される画像（動画）のフレームレートを可変するフレームレート可変手段も可能である。
【００１９】
上述の本発明において、複数の記憶手段のうち空き容量が異なっているものが含まれている場合に、記憶データ量可変手段によって、データ量を可変するモードと、可変しないモードとを切り換えるようにすることが可能である。
【００２０】
【発明の実施の形態】
以下に、図１のブロック図を参照して、本発明の実施の形態の電子カメラの一例を詳細に説明する。
【００２１】
先ず、操作スイッチ２２について説明する。操作スイッチ２２は、電源スイッチ、シャッタースイッチ、撮影モードと再生モードとを切り換えるためのモード切り換えスイッチ、ズーム、コマ送り、カーソル移動等の各種の指令信号を出力するマルチファンクションの十字キースイッチ、メニュー／ＯＫボタンスイッチ（メニュー表示機能と選択や指示の限定実行を指令するＯＫ機能とを兼備したスイッチ）、キャンセルボタンスイッチ等を含む。
【００２２】
又、この操作スイッチ２２には、シャッターボタンをＯＮする毎に静止画を撮影する単写撮影モード、連写撮影モード及び動画撮影モードを選択する各操作スイッチが含まれる。操作スイッチ２２よりのスイッチ操作に基づく各信号は、システムコントローラ２０に供給される。
【００２３】
次に、撮影系及び信号系について説明する。撮影モード時にシャッタースイッチがＯＮされると、被写体を示す画像光は、ＣＰＵを備えるシステムコントローラ２０によって、フォーカシング、ズーミング等が制御されるレンズ１０を介して撮像素子（ＣＣＤ）１２の受光面に結像される。ＣＣＤ１２に蓄積された信号電荷は、電圧信号として順次読み出される。尚、ＣＣＤ１２は、シャッターゲートパルスのタイミングによって各フォトセンサの電荷蓄積時間（シャッタースピード）を制御する、いわゆる電子シャッター機能を有している。
【００２４】
このＣＣＤ１２から順次読み出された電圧信号は、システムコントローラ２０によって制御されるサンプリング・ホールド回路１４に供給されてサンプリング・ホールドされた後、Ａ／Ｄ変換器１６に供給されて、デジタル映像信号に変換される。
【００２５】
タイミングジェネレータ（ＴＧ）１８は、システムコントローラ２０の制御に従って、ＣＣＤ１２、サンプリング・ホールド回路１４、Ａ／Ｄ変換器１６に対してタイミング信号を与えており、このタイミング信号によって各回路の同期がとられている。
【００２６】
Ａ／Ｄ変換器１６から出力されたデジタルＲ（赤）、Ｇ（緑）、Ｂ（青）信号は、１コマ毎にフレームメモリ２６に書き込まれ、それが読み出されて、システムコントローラ２０によって制御されるデジタル信号処理回路２４に供給される。デジタル信号処理回路２４において、点順次のＲ、Ｇ、Ｂ信号が同時式のＲ、Ｇ、Ｂ信号に変換され、その同時式のＲ、Ｇ、Ｂ信号がホワイトバランス調整及びガンマ補正された後、輝度信号Ｙ及びクロマ信号Ｃｒ、ＣｂからなるＹＣ画像データに変換され、再びフレームメモリ２６に記憶される。尚、フレームメモリ２６は、デジタル信号処理回路２４内のメモリ制御回路２８によって、書き込み及び読み出しが制御される。
【００２７】
次に、複数の記憶手段としてのメモリカードについて説明する。例えば、３枚のメモリカード（Ａ）４０、（Ｂ）４２及び（Ｃ）４４が、それぞれ記憶手段装填手段としてのソケット（１）３４、（２）３６及び（３）３８に挿抜自在に装填されている。尚、メモリカード４０、４２、４４は、上述したデジタル信号処理回路２４内のメモリ制御回路２８によって、その読み出し及び書き込みが制御される。
【００２８】
この場合複数の記憶手段の全てが、ソケットに挿抜自在に装填されるメモリカードである必要はなく、一部の記憶手段は電子カメラに固定されていても良い。しかし、記憶手段装填手段に挿抜自在に装填される記憶手段は、少なくとも１個は必要である。
【００２９】
記憶手段は、リムーバブルメディアが可能である。又、記憶手段は、スマートメディア、ＳＤカード、コンパクトフラッシュ等で代表される半導体メモリカード、マイクロドライブ（小型ハードディスクドライブ）、磁気ディスク、光ディスク等、その種類の如何を問わない。又、複数の記憶手段は、異なる種類の記憶手段を混用しても良い。
【００３０】
フレームメモリ２６から読み出された画像データは、システムコントローラ２０によって、圧縮率及び伸長率が制御される圧縮／伸長回路３０によって圧縮された後、メモリカード４０、４２、４４に書き込まれる（記録される）。再生時には、メモリカード４０、４２、４４から読み出された画像データが、図示を省略したＤＳＰ（デジタル・シグナル・プロセッサ）に供給されて表示用信号に変換された後、液晶モニタ３２に供給されてその画像が表示される。
【００３１】
このデジタル信号処理回路２４内に設けられた、システムコントローラ２０によって制御される画像サイズ可変手段２４ＰＳについて説明する。システムコントローラ２０によって、基準メモリカード（例えば、メモリカード４０）に対し設定された画像サイズ及び圧縮率における基準メモリカード４０に対する記録可能コマ数を算出する。そして、その他のメモリカード４２、４４の記録可能コマ数が、基準メモリカード４０の算出された記録可能コマ数と同じになるように、システムコントローラ２０によって、その他のメモリカードの画像サイズを算出する。
【００３２】
フレームメモリ２６から読み出された画像データを、画像サイズ可変手段２４ＰＳによって、基準メモリカード４０における設定された画像サイズを以て、リサイズした後、フレームメモリ２６に書き込む。このフレームメモリ２６に書き込まれた基準メモリカード４０における設定された画像サイズを以て、リサイズされた画像データを、圧縮／伸長回路３０に供給して、設定された圧縮率を以て圧縮した後、フレームメモリ２６に再び書き込む。この場合、フレームメモリ２６の容量制限のため、リサイズした画像データを、フレームメモリ２６のＹＣ画像データ領域又はＣＣＤ出力データ領域に上書きするようにしても良い。
【００３３】
フレームメモリ２６に書き込まれている、基準メモリカード４０における設定された画像サイズを以てリサイズされた画像データを、画像サイズ可変手段２４ＰＳによって、メモリカード４２の算出された画像サイズになるようにリサイズして、フレームメモリ２６に書き込む。このフレームメモリ２６に書き込まれている、メモリカード４２の算出された画像サイズを以てリサイズされた画像データを、圧縮／伸長回路３０に供給して、設定された圧縮率を以て圧縮した後、フレームメモリ２６に再び書き込む。
【００３４】
フレームメモリ２６に書き込まれている、メモリカード４２の算出された画像サイズを以てリサイズされた画像データを、画像サイズ可変手段２４ＰＳによって、メモリカード４４の算出された画像サイズになるようにリサイズして、フレームメモリ２６に書き込む。このフレームメモリ２６に書き込まれている、メモリカード４４の算出された画像サイズを以てリサイズされた画像データを、圧縮／伸長回路３０に供給して、設定された圧縮率を以て圧縮した後、フレームメモリ２６に書き込む。
【００３５】
フレームメモリ２６に記憶されている、それぞれメモリカード４０、４２、４４に対応してリサイズされると共に、それぞれ設定された同じ圧縮率を以て圧縮されている画像データを読み出して、順次メモリカード４０、４２、４４に転送する。
【００３６】
再生時には、メモリカード４０、４２、４４に記憶れている画像データを各別に読み出し、その読み出された画像データを圧縮／伸長回路３０に供給して伸長した後、デジタル信号処理回路２４内に設けたＤＳＰ（デジタル・シグナル・プロセッサ）（図示を省略する）に供給して、表示用信号に変換した後、その表示用信号を液晶モニタ３２に供給することによって、その画像データの画像を液晶モニタ３２に表示させることができる。
【００３７】
次に、図２の表図を参照して、モード切り換えについて説明する。操作スイッチ２２におけるメニュー／ＯＫボタンスイッチを操作して、液晶モニタ３２に、設定項目である「記録モード」を映出させる。液晶モニタ３２に、「記録モード」の選択設定項目として、「連続記録」及び「同時記録」が映出される。操作スイッチ２２の十字キースイッチを操作して、カーソルを「連続記録」の表示に合わせて、操作スイッチ２２のメニュー／ＯＫボタンスイッチを操作すると、連続記録のモードになる。この連続記録モードでは、画像データが、メモリカード４０、４２、４４に、所定の順序で、順次に書き込まれる。
【００３８】
操作スイッチ２２の十字キースイッチを操作して、カーソルを「同時記録」の表示に合わせて、操作スイッチ２２のメニュー／ＯＫボタンスイッチを操作すると、同時記録モードになる。このモードでは、画像データが、メモリカード４０、４２、４４に同時に記録される。
【００３９】
「同時記録」モードには、コマ数一致モード及び画質一致モードの２つのモードがある。「同時記録」に対する選択設定項目として、「コマ数一致」及び「画質一致」が、液晶モニタ３２に表示される。十字カーソルを「画質一致」の表示に合わせて、操作スイッチ２２のメニュー／ＯＫボタンスイッチを操作すると、画質一致モードになる。この画質一致モードでは、圧縮された画像データが、そのまま同じ画質でメモリカード４０、４２、４４に同時に記録される。
【００４０】
十字カーソルを「コマ数一致」に合わせて、操作スイッチ２２のメニュー／ＯＫボタンスイッチを操作すると、コマ数一致モードになる。このコマ数一致モードでは、ＣＣＤ１２より得られた映像信号に基づく撮影画像データに対し、画像のデータ量が可変されて得られた画像内容が実質的に等しい画像データが、同じコマ数を以て、メモリカード４０、４２、４４に同時に記録される。
【００４１】
選択設定項目が「コマ数一致」のときに、液晶モニタ３２に、設定項目として、「基準メモリカード」が表示され、その選択設定項目として、「自動設定」、「ソケット１」、「ソケット２」、「ソケット３」が表示される。操作スイッチ２２の十字キースイッチを操作して、カーソルを「自動設定」に合わせて、操作スイッチ２２のメニュー／ＯＫボタンスイッチを操作すると、メモリカード４０、４２、４４のうち、最も空き容量の大きなメモリカードを除くその他のメモリカードの記憶可能コマ数を、最大の空き容量を有するメモリカードの記憶可能コマ数と等しくするように、その他のメモリカードに記憶する画像データの画像毎の記憶データ量が可変された画像データがメモリカード４０、４２、４４に同時に記録される。
【００４２】
操作スイッチ２２の十字キースイッチを操作して、十字カーソルを「ソケット１」に合わせて、操作スイッチ２２のメニュー／ＯＫボタンスイッチを操作すると、メモリカード４０を除くその他のメモリカード４２、４４の記憶可能コマ数を、メモリカード４０の記憶可能コマ数と等しくなるように、その他のメモリカード４２、４４に記憶する画像の記憶データ量を可変して、その画像データがメモリカード４０、４２、４４に同時に記録される。
【００４３】
尚、操作スイッチ２２の十字キースイッチを操作して、十字カーソルを「ソケット２」又は「ソケット３」に合わせて、操作スイッチ２２のメニュー／ＯＫボタンスイッチを操作する場合も、「ソケット１」の場合と同様である。
【００４４】
次に、図１のブロック図及び図３のフローチャートを参照して、電子カメラの機能及び動作について説明する。先ず、ステップＳ１０で、電子カメラの電源がＯＮとされる。ステップＳ１０の次は、ステップＳ１２に移行して、システムコントローラ２０によって、ソケット３４、３６、３８にそれぞれ装填されている全てのメモリカード４０、４２、４４の空き容量が検出され、個々の空き容量がシステムコントローラ２０に内蔵されているＲＡＭに記憶される。
【００４５】
ステップＳ１２の次は、ステップＳ１４に移行して、システムコントローラ２０が、図２の表図について説明した設定項目の選択に応じて、記録モードは同時記録モードか否かを判別し、ＹＥＳ、即ち、同時記録モードのときは、ステップＳ１８に移行し、ＮＯ、即ち、連続記録モードのときは、ステップＳ１６に移行して、システムコントローラ２０の制御に基づく連続記録の撮影記録シーケンスに移行する。この連続記録では、画像データを、例えば、メモリカード４０に書き込み、メモリカード４０の空き容量が略無くなったら、画像データを、例えば、メモリカード４２に書き込み、メモリカード４２の空き容量が略無くなったら、画像データを、メモリカード４４に書き込むようにする。
【００４６】
ステップＳ１８では、同時記録モードにおいて、図２の表図について説明した設定項目の選択に応じて、システムコントローラ２０が、コマ数一致モードか否かを判別し、その判別がＹＥＳのときは、コマ数一致モードとなり、ステップＳ２０に移行し、その判別がＮＯのきは、画質一致モードとなり、ステップＳ３４に移行する。
【００４７】
ステップＳ２０では、システムコントローラ２０が、図２の表図について説明した設定項目の選択に応じて、基準メモリカード（ＭＣ）の別を検出し、ステップＳ２２−０〜Ｓ２２−３はその検出結果を示す。
【００４８】
ステップＳ２２−０では、メモリ空き容量が最大のメモリカード（ＭＣ）が、基準メモリカードとされる。
【００４９】
ステップＳ２２−１では、ソケット（１）３４に装填されているメモリカード（Ａ）４０が、基準メモリカードとされる。
【００５０】
ステップＳ２２−２では、ソケット（２）３６に装填されているメモリカード（Ｂ）４２が、基準メモリカードとされる。
【００５１】
ステップＳ２２−３では、ソケット（３）３８に装填されているメモリカード（Ｃ）４４が、基準メモリカードとされる。
【００５２】
ステップＳ２２−０〜Ｓ２２−３の次は、ステップＳ２４に移行して、システムコントローラ２０によって、基準メモリカードに対し設定された画像サイズ及び圧縮率における基準メモリカードに対する記録可能コマ数を算出し、その記録可能コマ数を液晶モニタ３２に表示する。
【００５３】
ステップＳ２４の次は、ステップＳ２６に移行して、その他のメモリカードの記録可能コマ数が、基準メモリカードの算出された記録可能コマ数と同じになるように、システムコントローラ２０によって、その他のメモリカードの画像サイズを算出する。
【００５４】
次に、ステップＳ２２−０〜Ｓ２２−３、Ｓ２４及びＳ２６における処理工程について、例を挙げて説明する。メモリカード４０、４２、４４の空き容量をそれぞれＭａ、Ｍｂ、Ｍｃとし、これら空き容量の間にＭａ＞Ｍｂ＞Ｍｃの関係があるものと仮定する。かくすると、ステップＳ２２−０及びステップＳ２２−１の場合は、メモリカード４０が基準メモリカードとなる。操作者の操作によって設定された電子カメラの画像サイズ及び圧縮率から、システムコントローラ２０によって、メモリカード４０の記憶可能コマ数Ｎａを算出する。このときのメモリカード４２、４４の記憶可能コマ数Ｎｂ、Ｎｃが、Ｎａ＞Ｎｂ＞Ｎｃであるものとする。メモリカード４２、４４の記憶可能コマ数も共にＮａとなるようにするために、メモリカード４２、４４に記憶する画像データの画像サイズＳｂ、Ｓｃを、システムコントローラ２０によって算出する。尚、メモリカード４０の画像サイズは、Ｓａであるとする。
【００５５】
画像サイズＳｂは、数１の式に示すようになる。
【００５６】
【数１】
Ｓｂ＝Ｓａ×Ｍｂ／Ｍａ
【００５７】
画像サイズＳｃは、数２の式に示すようになる。
【００５８】
【数２】
Ｓｃ＝Ｓａ×Ｍｃ／Ｍａ
【００５９】
画像サイズＳａを、その縦横画素数Ｓａｖ、Ｓａｈの積Ｓａｖ×Ｓａｈで表し、同様に、画像サイズＳｂを、その縦横画素数Ｓｂｖ、Ｓｂｈの積Ｓｂｖ×Ｓｂｈで表し、画像サイズＳｃを、その縦横画素数Ｓｃｖ、Ｓｃｈの積Ｓｃｖ×Ｓｃｈで表すものとする。
【００６０】
かくすると、縦横画素数Ｓｂｖ、Ｓｂｈ及びＳｃｖ、Ｓｃｈは、それぞれ数３〜６の式に示すようになる。
【００６１】
【数３】
Ｓｂｖ＝Ｓａｖ×（Ｍｂ／Ｍａ）１／２　
【００６２】
【数４】
Ｓｂｈ＝Ｓａｈ×（Ｍｂ／Ｍａ）１／２　
【００６３】
【数５】
Ｓｃｖ＝Ｓａｖ×（Ｍｃ／Ｍａ）１／２　
【００６４】
【数６】
Ｓｃｈ＝Ｓａｈ×（Ｍｃ／Ｍａ）１／２　
【００６５】
上述のように、メモリカード４０、４２、４４の空き容量Ｍａ、Ｍｂ、Ｍｃの間に、Ｍａ＞Ｍｂ＞Ｍｃの関係がある場合に、ステップ２０の検出結果がステップＳ２２−２やＳ２２−３である場合は、それぞれメモリカード４２や４４が基準メモリカードとなる。その場合は、メモリカード４０の画像サイズやメモリカード４０、４２の画像サイズを大きくして、メモリカード４０、４２、４４に記憶する画像データの記憶可能コマ数を同じにする必要がある。
【００６６】
しかしこの場合には、メモリカード４０の画像サイズやメモリカード４０、４２の画像サイズを、補間処理によって拡大するため、画像の画質劣化を招来する。従って、画質劣化を回避すべく、基準メモリカードの記録設定を越える画像サイズの拡大処理を禁止する態様も好ましい。
【００６７】
再び、フローチャートに沿って説明する。ステップＳ２６の次は、ステップＳ２８に移行して、システムコントローラ２０の制御によって、電子カメラを撮影可能状態で待機させる。ステップＳ２８の次はステップＳ３０に移行して、システムコントローラ２０が、利用者のレリーズの押圧に基づいて、電子カメラの撮影開始を指示する。ステップＳ３０の次は、ステップＳ３２に移行して、システムコントローラ２０の制御によって、基準メモリカードを除くメモリカードに記憶する画像データの画像サイズを、画像サイズ可変手段２４ＰＳによって、算出された画像サイズにリサイズして、メモリカード４０、４２、４４への記録を行った後、ステップＳ１２に戻る。
【００６８】
ステップＳ１８の判別がＮＯで、同時記録モードはコマ数一致でないとき、即ち、画質一致のときは、画像データが、電子カメラに対し予め設定した画質でメモリカード４０、４２、４４に同時に記録される。ステップＳ３４では、システムコントローラ２０の制御によって、撮影可能状態で待機する。ステップＳ３４の次はステップＳ３６に移行して、システムコントローラ２０が、利用者のレリーズの押圧に基づいて、電子カメラに対し撮影開始を指示する。ステップＳ３６の次は、ステップＳ３８に移行して、画像サイズ及び圧縮率を変更せずに、メモリカード４０、４２、４４への画像データの記録を行った後、ステップＳ１２に戻る。
【００６９】
上述の例では、メモリカード４０、４２、４４の空き容量に応じて、基準メモリカードを除くメモリカードに記憶される画像データの画像毎の画像サイズを可変するようにしたが、メモリカード４０、４２、４４の空き容量に応じて、基準メモリカードを除くメモリカードに記憶する画像データの画像毎の圧縮率を変更して、メモリカード４０、４２、４４に対する記憶可能コマ数を同じコマ数にするようにしても良い。
【００７０】
メモリカード４０、４２、４４の空き容量をそれぞれＭａ、Ｍｂ、Ｍｃとし、Ｍａ＞Ｍｂ＞Ｍｃと仮定する。その場合に、例えば、メモリカード４０を基準メモリカードとする。メモリカード４０に記憶する画像データの圧縮率が１／Ｐａの場合に、メモリカード４０、４２、４４に対する記憶可能コマ数が同じになるように記憶する場合は、メモリカード４２、４４に記憶する画像データの圧縮率１／Ｐｂ、１／Ｐｃは、それぞれ数７及び数８に示すように設定される。
【００７１】
【数７】
１／Ｐｂ＝１／（Ｐａ×Ｍａ／Ｍｂ）
【００７２】
【数８】
１／Ｐｃ＝１／（Ｐａ×Ｍａ／Ｍｃ）
【００７３】
尚、圧縮率を大幅に変えると、圧縮歪みが生じるので、（Ｐａ×Ｍａ／Ｍｂ）や（Ｐａ×Ｍａ／Ｍｃ）の最大値は、例えば、１０程度以下が好ましい。
【００７４】
又、メモリカード４０、４２、４４の空き容量に応じて、基準メモリカードを除くメモリカードに記憶される画像データの画像毎の画像サイズ及び圧縮率を共に可変して、メモリカード４０、４２、４４に対する記憶可能コマ数が同じになるようにしても良い。
【００７５】
複数の記憶手段に記憶する画像データが、動画の画像データである場合には、画像数は、画像内容を異にする画像ファイルの数を示す。画像データの画像毎の記憶データ量を可変する方法は、画像ファイルの画像サイズや圧縮率の可変の他に、動画ファイルにおけるフレームレートの可変等が可能である。
【００７６】
【発明の効果】
本発明によれば、光学像を電気信号に変換する撮像手段と、その撮像手段より得られた映像信号に基づく撮影画像データを記憶し得る複数の記憶手段の空き容量を検出する空き容量検出手段と、その空き容量検出手段による空き容量検出結果から、複数の記憶手段のうち空き容量が異なっているものが含まれている場合には、複数の記憶手段について記憶可能画像数が同じになるように、複数の記憶手段のうちの少なくとも一部の記憶手段に記憶される画像のデータ量を可変する記憶データ量可変手段とを設けてなるので、撮像手段より得られた映像信号に基づく画像データを、高画質を以て、複数の記憶手段の空き容量を最大限に使用して、同じ画像数となるように複数の記憶手段に記憶することのできる電子カメラを得ることができる。
【００７７】
本発明によれば、上述の本発明の電子カメラにおいて、複数の記憶手段のうちの少なくとも一部の記憶手段は、当該電子カメラに着脱可能なリムーバブルメディアであるので、上述の効果に加えて、画像データの記憶されているリムーバブルメディアを他人に配付する場合に便利である。
【００７８】
本発明によれば、上述の本発明の電子カメラにおいて、記憶データ量可変手段は、複数の記憶手段のうちの最大の空き容量を有する記憶手段を除くその他の記憶手段の記憶可能画像数を、最大の空き容量を有する記憶手段の記憶可能画像数と等しくするように、その他の記憶手段に記憶される画像のデータ量を可変するようにしたので、上述の効果に加えて、その他の記憶手段に記憶される画像のデータ量を可変しても、その他の記憶手段に記憶される画像の画質劣化のおそれは殆どない。
【００７９】
本発明によれば、上述の本発明の電子カメラにおいて、記憶データ量可変手段は、複数の記憶手段のうちの少なくとも一部の記憶手段に記憶される画像の画像サイズを可変する画像サイズ可変手段であるので、上述の効果に加えて、複数の記憶手段のうちの少なくとも一部の記憶手段に記憶される画像のデータ量を可変しても、画像の画質劣化のおそれはない。
【００８０】
本発明によれば、上述の本発明の電子カメラにおいて、　複数の記憶手段のうち空き容量が異なっているものが含まれている場合に、記憶データ量可変手段によって、データ量を可変するモードと、可変しないモードとを切り換えるようにしたので、撮像手段より得られた映像信号に基づく画像データを、複数の記憶手段の空き容量を最大限に使用して、同じ画像数となるように複数の記憶手段に、高画質を以て記憶することができると共に、利用者の選択により、複数の記憶手段のうち空き容量が異なっているものが含まれている場合でも、複数の記憶手段について記憶可能画像数が同じになるか否かを考慮せずに、同じ画像サイズ及び同じ圧縮率で、複数の記憶手段に画像データを記憶することができる。
【図面の簡単な説明】
【図１】本発明の実施の形態の電子カメラの一例の構成を示すブロック図である。
【図２】本発明の実施の形態の電子カメラの一例の動作説明における設定項目及び選択設定値の種類を示す表図である。
【図３】本発明の実施の形態の電子カメラの一例の動作説明のためのフローチャートである。
【符号の説明】
１０…レンズ、１２…ＣＣＤ（撮像素子）、１４…サンプリング・ホールド回路、１６…Ａ／Ｄ変換器、１８…タイミングジェネレータ（ＴＧ）、２０…システムコントローラ、２２…操作スイッチ、２４…デジタル信号処理回路、２４ＰＳ…画像サイズ可変手段、２６…フレームメモリ、２８…メモリ制御回路、３０…圧縮／伸長回路、３２…液晶モニタ、３４、３６、３８…ソケット、４０、４２、４４…メモリカード
【図１】
2004128781.tif 000003
【図２】
2004128781.tif 000004
【図３】
2004128781.tif 000005